(57)【要約】【課題】省スペースで複数の靴べらを取り出し易く、また見栄え良く収納することが可能な靴べらスタンドの提供。【解決手段】筒状の外壁部２と柱状の内壁部３とにより形成された環状の溝部４を有する靴べらスタンド１である。この靴べらスタンド１によれば、環状の溝部４に、複数の靴べら１０の下方のへら部１１を差し込んで、複数の靴べら１０の上方の把持部１２を外方に向かって互いの間隔を広げるように、立てたまま保持可能であるため、複数の靴べら１０をこの溝部４内へ環状に並べて立てたまま保持することができ、省スペースで複数の靴べら１０を取り出し易く、また見栄え良く収納することが可能となる。【選択図】図３
2014030498.tif 000002
【特許請求の範囲】
【請求項１】
筒状の外壁部と柱状の内壁部とにより形成された環状の溝部を有し、
前記環状の溝部に複数の靴べらの下方のへら部を差し込んで、前記複数の靴べらの上方の把持部を外方に向かって互いの間隔を広げるように保持可能な靴べらスタンド。
【請求項２】
前記溝部は略円環状である請求項１に記載の靴べらスタンド。
【発明の詳細な説明】
【技術分野】
【０００１】
本発明は、複数の靴べらを立てて収納可能な靴べらスタンドに関する。
【背景技術】
【０００２】
従来、立ったままや中腰にて使用できる柄の長いタイプの靴べらは、その柄の部分に設けられている孔、紐あるいはフック部分を玄関等に設置されたフック、釘、下駄箱や棚等に引っ掛けることにより収納されているほか、大きな細長い筒状のスタンドに傘と共に収納されていることもある。また、例えば特許文献１，２に記載のように、専用の靴べらスタンドに立てて収納されていることもある。
【０００３】
特許文献１に記載の靴べらスタンドは、中央に内筒を内設した筒状の収納を設け、中央が穴状で内側にドーナツ状の靴みがきを接着したキャップを設けたものである。特許文献２に記載の靴べらスタンドは、上部に開口部のある靴べら立て容器本体と、この靴べら立て容器本体内に備えた開口部より挿入された靴べらを弾性的に支持する支持体とからなる。
【先行技術文献】
【特許文献】
【０００４】
【特許文献１】特開２００２−３４５６２２号公報
【特許文献２】実開昭５９−１１８４８０号公報
【発明の概要】
【発明が解決しようとする課題】
【０００５】
上記従来のように柄の部分を引っ掛けて収納する場合、複数の靴べらを収納すると靴べらが雑然と重なってしまうため、靴べらを取り出し難く、また見栄えも悪い。また、引っ掛けるためにフックや釘を設置すると、衣服を引っ掛けて破いてしまうこともある。さらに、大きな細長い筒状のスタンドに収納する場合にも、上記同様の不具合のほか、そのスタンド全体が大きくなる恐れがある。
【０００６】
また、特許文献１に記載の靴べらスタンドでは、中央の内筒内に靴べらを収納するが、この内筒に靴べらを収納したときに倒れないようにするため、内筒は１つの靴べらを収納できる程度の大きさであると思われ、複数の靴べらを収納することはできない。
【０００７】
また、特許文献２に記載の靴べらスタンドでは、複数の靴べらを収納可能とするため、複数個の適宜形状の開口部を設けているが、このように複数個の開口部を設けた場合、靴べらスタンド全体の大きさが大きくなってしまい邪魔である。
【０００８】
そこで、本発明においては、省スペースで複数の靴べらを取り出し易く、また見栄え良く収納することが可能な靴べらスタンドを提供することを目的とする。
【課題を解決するための手段】
【０００９】
本発明の靴べらスタンドは、筒状の外壁部と柱状の内壁部とにより形成された環状の溝部を有し、環状の溝部に複数の靴べらの下方のへら部を差し込んで、複数の靴べらの上方の把持部を外方に向かって互いの間隔を広げるように保持可能なものである。本発明の靴べらスタンドによれば、環状の溝部に複数の靴べらの下方のへら部を差し込んで、複数の靴べらの上方の把持部を外方に向かって互いの間隔を広げるように保持可能であり、複数の靴べらをこの溝部内へ環状に並べて立てたまま保持することができる。また、前記溝部は略円環状とすることにより、削り出し加工が容易となる。
【発明の効果】
【００１０】
本発明の靴べらスタンドによれば、複数の靴べらを溝部内へ環状に並べて立てたまま保持することができ、省スペースで複数の靴べらを取り出し易く、また見栄え良く収納することが可能となる。
【図面の簡単な説明】
【００１１】
【図１】本発明の実施の形態における靴べらスタンドの使用状態を示す斜視図である。
【図２】図１の靴べらスタンドの斜視図である。
【図３】図２の縦断面図である。
【図４】本発明の靴べらスタンドの別の実施形態を示す縦断面図である。
【図５】本発明の靴べらスタンドの別の実施形態を示す縦断面図である。
【発明を実施するための形態】
【００１２】
図１は本発明の実施の形態における靴べらスタンドの使用状態を示す斜視図、図２は図１の靴べらスタンドの斜視図、図３は図２の縦断面図である。
【００１３】
図１に示すように、本発明の実施の形態における靴べらスタンド１は、立ったままや中腰にて使用できる柄の長いタイプの靴べら１０を複数立てて収納可能なものである。靴べらスタンド１は、図２および図３に示すように、円筒状の外壁部２と、この円筒状の外壁部２により囲まれた空間の中央部に立設された円柱状の内壁部３とにより形成された円環状の溝部４を有する。
【００１４】
円環状の溝部４には、靴べら１０の下方のへら部１１が差し込まれる。この差し込まれた靴べら１０を立てたまま保持するために、溝部４の深さａは約２０ｍｍ以上、幅ｂは５〜２０ｍｍ程度であることが望ましい。また、複数の靴べら１０を溝部４内へ環状に並べて立てたまま収納するために、溝部４の円環状の半径ｒは約２０ｍｍ以上であることが望ましい。また、靴べらスタンド１は、鏡面仕上げのステンレス鋼であるが、その他の金属製やプラスチック製とすることも可能であるが、１以上の靴べら１０を差し込んだ際に倒れない程度の重量を有することが望ましい。さらに、軽いプラスチック製スタンドでは、スタンド裏面に金属製の重しを取り付けることもできる。
【００１５】
上記構成の靴べらスタンド１では、図１に示すように、複数の靴べら１０のへら部１１を溝部４へ差し込んで環状に並べて立てたまま、複数の靴べら１０の上方の把持部１２を外方に向かって互いの間隔を広げるように保持可能である。したがって、この靴べらスタンド１では、省スペースで複数の靴べら１０を取り出し易く、また見栄え良く収納することが可能である。
【００１６】
なお、本実施形態においては、溝部４を削り出し加工の容易な真円の円環状としているが、真円以外にもプレス成型で楕円や多角形等の略円環状とすることも可能である。あるいは、雲形の環状とすることも可能である。要するに、複数の靴べら１０を環状に並べて立てたまま保持することができる環状であれば良い。
【００１７】
また、内壁部３については、本実施形態においては天端面が平坦で外壁部２と同一高さに形成されているが、図４に示すように天端面を球面とした内壁部３ａとしたり、図５に示すように天端面を楕円球面とした内壁部３ｂとしたりすることも可能である。また、本実施態様のように天端面を凸状とするほか、天端面を凹状とすることもできる。さらに、図４に示すように内壁部３ａを外壁部２よりも高く形成したり、図５に示すように内壁部３ｂを外壁部２よりも低く形成したりすることも可能である。なお、図４および図５の実施態様では溶接で形成しているが、プレス成型や削り出し加工で形成してもよい。
【００１８】
要するに、内壁部３，３ａ，３ｂの天端面の形状や、外壁部２との高さの関係等は、靴べら１０を溝部４内へ差し込んだ際に、図３に示すようにそのへら部１１の下端部が内壁部３，３ａ，３ｂの下端部に当接するとともに、その上方が外壁部２の上端部に当接して、複数の靴べら１０の上方の把持部１２を外方に向かって互いの間隔を広げるように保持可能なもので、立ったまま保持されるものであれば良い。
【産業上の利用可能性】
【００１９】
本発明は、複数の靴べらを立てて収納可能な靴べらスタンドとして有用である。
【符号の説明】
【００２０】
１  靴べらスタンド
２  外壁部
３，３ａ，３ｂ  内壁部
４  溝部
１０  靴べら
１１  へら部
１２  把持部
【図１】
2014030498.tif 000003
【図２】
2014030498.tif 000004
【図３】
2014030498.tif 000005
【図４】
2014030498.tif 000006
【図５】
2014030498.tif 000007